(57)【特許請求の範囲】
【請求項１】
ステアリングホイール本体と、
このステアリングホイール本体を構成する芯金部に取り付けるエアバッグモジュールと、
このエアバッグモジュールを押すことで回路を閉じるホーンスイッチ装置を備え、
前記芯金部には、複数のエアバッグモジュール位置決め用長孔が設けられる一方、前記エアバッグモジュールには、前記位置決め用長孔に挿通することでエアバッグモジュールの位置決めを行う複数の位置決めピンが設けられたステアリングホイールであって、
前記位置決め用長孔は、長手方向の長さを前記位置決めピンの幅より長い長さを有するようにして前記長手方向にピン挿入許容領域を有し、かつ、車両が直進状態のときの前記ステアリングホイールを正面側から見た場合に、少なくとも２つの前記位置決め用長孔は、長手方向が上下方向と左右方向となるように配置し、長手方向が前記上下方向となるように配置した長孔は長手方向が前記左右方向となるように配置した長孔よりも前記上下方向の下方となる位置に配置すると共に、
前記位置決めピンは、エアバッグモジュールを芯金部に取り付けた状態で、前記位置決めピンが前記位置決め用長孔に挿通され、少なくとも前記位置決めピンの一部が前記位置決め用長孔の長手方向と直交する方向の側面に接していることを特徴とするステアリングホイール。
【請求項２】
前記位置決めピンは、少なくとも２本以上で構成され、これらが前記位置決め用長孔の長手方向と直交する方向の側面に接していることを特徴とする請求の範囲第１項に記載のステアリングホイール。
【請求項３】
前記複数の位置決め用長孔は、ステアリングホイールを正面側から見た場合の同一平面上に投影された、少なくとも一つの位置決め用長孔の長手方向に延長した線が、他の位置決め用長孔の長手方向に延長した線と交わるように配置されていることを特徴とする請求の範囲第１項又は第２項に記載のステアリングホイール。
【請求項４】
前記位置決め用長孔は、同じ長手方向の向きを有するものが２つと、これら２つの位置決め用長孔の長手方向と直交する長手方向のものが１つの３つであることを特徴とする請求の範囲第３項に記載のステアリングホイール。
【請求項５】
前記位置決め用長孔は、可能な限りエアバッグモジュールの外周側に設けられていることを特徴とする請求の範囲第１〜３項の何れかに記載のステアリングホイール。
【請求項６】
前記位置決め用長孔は、入側及び出側に対して中央部分が狭く成されていることを特徴とする請求の範囲第１〜５項の何れかに記載のステアリングホイール。
【請求項７】
前記位置決めピンは、横断面中心から前記位置決め用長孔の長手方向と直交する方向の側面と直交する線上の外周位置で前記長手方向と直交する方向の側面と接するように形成されていることを特徴とする請求の範囲第１〜６項の何れかに記載のステアリングホイール。
【請求項８】
エアバッグモジュールを、常時は芯金部から離反する方向に付勢された状態となるように芯金部に取り付け、当該エアバッグモジュールを前記付勢力に抗して芯金部に接近させることで、ホーンスイッチ装置を作動させることを特徴とする請求の範囲第１〜７項の何れかに記載のステアリングホイール。
【請求項９】
前記位置決めピンは、弾性部材で製作されたものであることを特徴とする請求の範囲第１〜８項の何れかに記載のステアリングホイール。
【請求項１０】
前記位置決めピンは、芯金部へのエアバッグモジュールの取り付け時に、エアバッグモジュールの裏面に形成されたＺタブが芯金部に形成された第２のフックに係合する前に、前記位置決め用長孔に挿通する長さを有していることを特徴とする請求の範囲第１〜９項の何れかに記載のステアリングホイール。
【発明の詳細な説明】
【技術分野】
【０００１】
本発明は、エアバッグモジュールとホーンスイッチ装置を備えた自動車等のステアリングホイールに関するものである。
【背景技術】
【０００２】
近年、自動車等のステアリングホイールには、警笛音を鳴らすためのホーンスイッチ装置に加えて衝突時に運転者の安全を確保するためのエアバッグモジュールが設置されている（例えば特許文献１）。【０００３】
この特許文献１で開示されたステアリングホイールは、ステアリングホイール芯金に設けたフック部に、エアバッグモジュールの裏面側に配したワイヤーを引掛かけることで、エアバッグモジュールをステアリングホイール芯金に装着している。【０００４】
そして、その位置決めは、係着ピンをステアリングホイール芯金に設けたボス部に仮固定した後、エアバッグモジュールに形成した位置決め用凸部を、前記係着ピンの支持部に形成した位置決め用凹部に挿入して押し込むことで行っている。【０００５】
この構成では、係着ピンで保持するコイルスプリングの付勢力に抗してエアバッグモジュールを押し下げることで、ステアリングホイール芯金に設けた固定接点とエアバッグモジュールに設けた移動接点が接触してホーンスイッチ装置の回路が閉じて警笛音が鳴る。【０００６】
しかしながら、特許文献１で開示された、エアバッグモジュールに形成した位置決め用凸部と係着ピンの支持部に形成した位置決め用凹部は、共に円錐形の先端側を切り取った形状であるため、以下に列挙するような問題がある。【０００７】
1) 製造上の寸法誤差を調整する機能がないので、寸法誤差があるとステアリングホイール芯金に対してエアバッグモジュールが傾いて取り付くことになる。この場合、仮に位置決め用凸部と凹部の嵌合が問題なく行われても、ステアリングホイール本体のボス部に設けた貫通孔に対して係着ピンが傾くことになり、ホーンスイッチの作動時に係着ピンと貫通孔間に生じる摺動抵抗が増大して前記作動に支障をきたす恐れがある。【０００８】
2) エアバッグモジュールを構成するカバーやステアリングホイールの寸法・形状が外気温等によって変化した場合、カバーとステアリングホイール間の間隙が偏る場合がある。
【先行技術文献】
【特許文献】
【０００９】
【特許文献１】特開２０１１−６３１６７号公報
【発明の概要】
【発明が解決しようとする課題】
【００１０】
本発明が解決しようとする問題点は、エアバッグモジュールのステアリングホイール芯金への従来の位置決め構造では、構成部品に寸法誤差があるとステアリングホイール芯金に対してエアバッグモジュールが傾いて取り付くことになるという点である。この場合、仮に位置決め用凸部と凹部の嵌合が問題なく行われても、ステアリングホイール本体に設けた貫通孔に対して係着ピンが傾くので、ホーンスイッチの作動時に係着ピンと貫通孔間に生じる摺動抵抗が増大して前記作動に支障をきたす恐れがある。また、カバーやステアリングホイールの寸法・形状が外気温等によって変化した場合、カバーとステアリングホイール間の間隙が偏る場合があるという点である。
【課題を解決するための手段】
【００１１】
本発明は、前記課題を解決するためになされたものである。すなわち、本発明では、構成部品に寸法誤差があっても正確な位置決めができ、また、カバーやステアリングホイールの寸法・形状が外気温等によって変化しても、カバーとステアリングホイール間の間隙の均一化を可能にすることで、前記課題を解決するものである。【００１２】
すなわち、本発明のステアリングホイールは、
ステアリングホイール本体と、
このステアリングホイール本体を構成する芯金部に取り付けるエアバッグモジュールと、
このエアバッグモジュールを押すことで回路を閉じるホーンスイッチ装置を備え、
前記芯金部には、複数のエアバッグモジュール位置決め用長孔が設けられる一方、前記エアバッグモジュールには、前記位置決め用長孔に挿通することでエアバッグモジュールの位置決めを行う複数の位置決めピンが設けられたステアリングホイールであって、
前記位置決め用長孔は、長手方向の長さを前記位置決めピンの幅より長い長さを有するようにして前記長手方向にピン挿入許容領域を有し、かつ、車両が直進状態のときの前記ステアリングホイールを正面側から見た場合に、少なくとも２つの前記位置決め用長孔は、長手方向が上下方向と左右方向となるように配置し、長手方向が前記上下方向となるように配置した長孔は長手方向が前記左右方向となるように配置した長孔よりも前記上下方向の下方となる位置に配置すると共に、
前記位置決めピンは、エアバッグモジュールを芯金部に取り付けた状態で、前記位置決めピンが前記位置決め用長孔に挿通され、少なくとも前記位置決めピンの一部が前記位置決め用長孔の長手方向と直交する方向の側面に接していることを最も主要な特徴としている。
【００１３】
本発明では、芯金部に形成する少なくとも２つの位置決め用孔を、長手方向にピン挿入許容領域を有する長孔として長手方向が互いに異なる方向となるように配置している。そして、エアバッグモジュールに形成する位置決めピンを、前記位置決め用長孔への挿通時に、少なくともその一部が前記位置決め用長孔の長手方向と直交する方向の側面に接するようにしている。従って、位置決めピンが位置決め用長孔内で移動することにより製造上の寸法誤差を吸収することができ、また、位置決め用長孔と位置決めピンの位置関係によって自ずとエアバッグモジュールの取り付け位置が決まる。
【発明の効果】
【００１４】
本発明では、芯金部に形成する少なくとも２つの位置決め用長孔内を位置決めピンが移動するので、構成部品の製造上の寸法誤差を吸収することができる。また、２つの位置決め用長孔と位置決めピンの位置関係によって自ずとエアバッグモジュールの取り付け位置が決まる。さらに、外気温等により構成部品に寸法変化があっても、エアバッグモジュールとステアリングホイール本体との間隙が均一化する。【００１５】
また、本発明では、少なくとも位置決めピンの一部が位置決め用長孔の長手方向と直交する方向の側面に接しているので、位置決め用長孔の前記側面に接している位置決めピンによりエアバッグモジュールを支えることができ、エアバッグモジュールの振動を減少することができる。
【図面の簡単な説明】
【００１６】
【図１】本発明のステアリングホイールの、芯金部に取り付けるエアバッグモジュールを裏面側から見た斜視図である。
【図２】図１に示したエアバッグモジュールを構成するエアバッグハウジングを裏面側から見た斜視図である。
【図３】図１に示したエアバッグモジュールを構成するエアバッグカバーを裏面側から見た斜視図である。
【図４】図１に示したエアバッグモジュールを裏面側から見た図である。
【図５】図４の断面図で、（ａ）はＡ−Ａ断面図、（ｂ）はＢ−Ｂ断面図、（ｃ）はＣ−Ｃ断面図、（ｄ）はＤ−Ｄ断面図である。
【図６】（ａ）は図１における位置決め用長孔と位置決めピンの位置関係を示した概略図、（ｂ）は（ａ）図のａ−ａ断面図である。
【図７】芯金部に対するエアバッグモジュールの位置決めについて説明する図である。
【図８】（ａ）は芯金部に対するエアバッグモジュールのＸ方向のバラツキの吸収作用について説明する図、（ｂ）は同じくＹ方向のバラツキの吸収作用について説明する図である。
【図９】芯金部に対するエアバッグモジュールの振動時の位置決めについて説明する図である。
【発明を実施するための形態】
【００１７】
芯金部へのエアバッグモジュールの従来の位置決め構造の場合、構成部品に寸法誤差があると芯金部に対してエアバッグモジュールが傾いて取り付くことになる。また、カバーやステアリングホイールの寸法・形状が外気温等によって変化した場合、カバーとステアリングホイール間の間隙が偏る場合がある。
【００１８】
本発明は、少なくとも２つの位置決め用長孔をその長手方向が互いに異なる方向となるように配置する一方、この位置決め用長孔に挿通する位置決めピンを、少なくとも位置決めピンの一部が前記位置決め用長孔の長手方向と直交する方向の側面に接するようにすることで、前記課題を解決するものである。
【実施例】
【００１９】
以下、本発明のステアリングホイールの一例を、添付図面を用いて説明する。
１はステアリングホイールであり、ステアリングホイール本体２と、このステアリングホイール本体２の中央部に取り付けられるエアバッグモジュール３と、ホーンスイッチ装置（図示省略）を備えている（図４参照）。【００２０】
前記ステアリングホイール本体２は、例えば、円環状のリム部２ａと、リム部２ａの略中心部分に配置されるMg合金製の芯金部２ｂと、リム部２ａと芯金部２ｂを連結するスポーク部２ｃから構成され、前記リム部２ａを外被で覆った構造である（図４参照）。そして、前記芯金部２ｂのエアバッグモジュール３と相対する面に、エアバッグモジュール３の脱落を防止する第１のフック２ｄａと、エアバッグモジュール３に係合する第２のフック２ｄｂを形成している（図５参照）。【００２１】
つまり、第１のフック２ｄａは、エアバッグの展開時にエアバッグが乗員側に脱落するのを防ぐために棒状スプリング４に係合するもので、ステアリングホイール本体２にエアバッグモジュール３を装着した時点では、たとえホーンを作動させても接することはない。【００２２】
一方、エアバッグモジュール３は、折り畳まれたエアバッグ３ａと、エアバッグ３ａに高圧ガスを供給するリテーナ３ｂと、これらを保持するエアバッグハウジング３ｃと、これらを覆うエアバッグカバー３ｄを備えている（図１〜５参照）。【００２３】
そして、エアバッグモジュール３は、その裏面に位置するエアバッグハウジング３ｃの外周側に、前記第１のフック２ｄａに係合可能とされる棒状スプリング４を配置すると共に、前記第２のフック２ｄｂに係合するＺタブ３ｃａを形成している（図１，２，４，５参照）。【００２４】
この第２のフック２ｄｂとＺタブ３ｃａの係合による取り付け状態では、エアバッグモジュール３は、芯金部２ｂとの間に介在させたスプリング５により、芯金部２ｂから離反する方向に付勢される。【００２５】
また、ホーンスイッチ装置は、前記付勢された状態のエアバッグモジュール３をスプリング５の付勢力に抗して押さえ、芯金部２ｂに接近させることで作動する構成である。【００２６】
すなわち、エアバッグモジュール３の芯金部２ｂへの接近時、芯金部２ｂに設けた固定接点６ａにエアバッグハウジング３ｃの裏面に設けた移動接点６ｂが接触してホーンスイッチ装置を作動させるのである（図１，２，４参照）。【００２７】
ところで、本発明では、前記エアバッグモジュール３を前記芯金部２ｂに取り付ける際の位置決めを、以下に説明する構成の位置決め用孔と位置決めピンによって行うことを特徴としている。【００２８】
すなわち、本発明では、前記芯金部２ｂにおける、芯金部２ｂに取り付けるエアバッグモジュール３の例えば外周側と相対する位置に、エアバッグモジュール３の位置決め用の長孔を形成している。【００２９】
発明例では、車両が直進状態のステアリングホイール１の位置を基準とした場合に、ステアリングホイール１を正面から見た図６の紙面上下方向（以下、Ｙ方向と言う。）に長手方向がくるように長孔２ｅを１つ配置している。また、前記長孔２ｅと同一平面内における紙面左右方向（以下、Ｘ方向と言う。）に長手方向がくるように長孔２ｆ，２ｇを２つ配置している。なお、前記同一平面とは、ステアリングコラム（シャフト）に直交する平面である。【００３０】
そして、これら３つの長孔２ｅ〜２ｇの長手方向の長さＬ1を、この長孔２ｅ〜２ｇに挿通する位置決めピン３ｅの前記長手方向の側面２ｅａ〜２ｇａと相対する側の幅ｄ1より長くして、例えば長手方向両側にピン挿入許容領域Ａを有するようにしている（図６参照）。また、これら長孔２ｅ〜２ｇの長手方向と直交する方向の幅ｂを、図６（ｂ）に示すように、入側及び出側の幅ｂ1に対して中央部分の幅ｂ2が狭くなるようにしている。【００３１】
一方、エアバッグモジュール３には、芯金部２ｂへの取り付け時における前記長孔２ｅ〜２ｇと相対する位置のそれぞれに、エアバッグモジュール３と同じ合成樹脂製の位置決めピン３ｅを２本、樹脂成型で延出している。このような樹脂成型の位置決めピン３ｅとした場合は、ホーン操作時のエアバッグモジュール３の動きを、図９に示すように位置決めピン３ｅが曲がって吸収するため、位置決めピン３ｅと長孔２ｅ〜２ｇの隙間をゼロにすることができる。また、車両の振動で生じ、ステアリングホイール１に伝わる振動エネルギーを減衰することもできる。【００３２】
これらの位置決めピン３ｅは、２本に分かれた部分が前記長孔２ｅ〜２ｇの長手方向と直交する方向の側面２ｅｂ〜２ｇｂに対向するように設けられている。そして、発明例では、エアバッグモジュール３を芯金部２ｂに取り付けた状態では、長孔２ｅ〜２ｇに挿通された各２本の位置決めピン３ｅの全てが長孔２ｅ〜２ｇの長手方向と直交する方向の側面２ｅｂ〜２ｇｂと接するようにしている。【００３３】
この位置決めピン３ｅの長さＬ2は、エアバッグモジュール３の芯金部２ｂへの取り付け時に、前記Ｚタブ３ｃａが前記第２のフック２ｄｂに係合する前に、長孔２ｅ〜２ｇに挿通可能な長さであることが望ましい（図５（ｃ）参照）。【００３４】
また、前記位置決めピン３ｅは、横断面中心から前記長孔２ｅ〜２ｇの長手方向と直交する方向の側面２ｅｂ〜２ｇｂと接するように形成されている。位置決めピン３ｅの前記側面２ｅｂ〜２ｇｂと接する位置の両側面２ｅｂと２ｅｂ、２ｆｂと２ｆｂ、２ｇｂと２ｇｂ間の長さｄ2を図６（ａ）に示す。発明例では、このような構成を位置決めピン３ｅの外周を円弧状に形成することで得ているが、三角形状に形成することで得ても良い。【００３５】
上記構成の本発明のステアリングホイール１において、エアバッグモジュール３に外力が加わった場合の位置決めを、図７を用いて説明する。なお、ステアリングホイール１を正面から見た図である図７の紙面上下方向をＹ方向、同じく左右方向をＸ方向と言う。【００３６】
（Ｘ方向の位置決め）
Ｙ方向に長手方向がくる長孔２ｅ内の位置決めピン３ｅが位置する範囲１にＸ方向の紙面左側から外力Ｆ1が加わった場合は、前記位置決めピン３ｅが当接する前記長孔２ｅにおける紙面左側の側面２ｅｂに反力Ｆc1が発生してその位置を保つ。反対に、前記範囲１にＸ方向の紙面右側から外力−Ｆ1が加わった場合は、前記位置決めピン３ｅが当接する前記長孔２ｅにおける紙面右側の側面２ｅｂに反力Ｆc2が発生してその位置を保つ。【００３７】
また、前記範囲１よりＹ方向の上方の範囲２にＸ方向の紙面左側から外力Ｆ2が加わった場合は、Ｙ方向に長手方向がくる長孔２ｅ内の位置決めピン３ｅと紙面左側の側面２ｅｂが接触する接触点Ｅを中心とする右回りの回転モーメントＭ1が発生する。この回転モーメントＭ1により、Ｘ方向に長手方向がくる紙面左側の長孔２ｆ内の位置決めピン３ｅと接する紙面下側の側面２ｆｂと、同じく紙面右側の長孔２ｇ内の位置決めピン３ｅと接する紙面上側の側面２ｇｂに反力Ｆa1とＦｂ2が発生して位置を保つ。【００３８】
反対に、前記範囲２にＸ方向の紙面右側から外力−Ｆ2が加わった場合は、Ｙ方向に長手方向がくる長孔２ｅ内の位置決めピン３ｅと紙面右側の側面２ｅｂが接触する接触点Ｄを中心とする左回りの回転モーメント−Ｍ1が発生する。この回転モーメント−Ｍ1により、Ｘ方向に長手方向がくる紙面左側の長孔２ｆ内の位置決めピン３ｅと接する紙面上側の側面２ｆｂと、同じく紙面右側の長孔２ｇ内の位置決めピン３ｅと接する紙面下側の側面２ｇｂに反力Ｆa2とＦｂ1が発生して位置を保つ。【００３９】
一方、前記範囲１よりＹ方向の下方の範囲３にＸ方向の紙面左側から外力Ｆ3が加わった場合は、Ｙ方向に長手方向がくる長孔２ｅの前記側面２ｅｂと位置決めピン３ｅが接触する前記接触点Ｅを中心とする左回りの回転モーメントＭ2が発生する。この回転モーメントＭ2により、Ｘ方向に長手方向がくる紙面左側の長孔２ｆ内の位置決めピン３ｅと接する紙面上側の側面２ｆｂと、同じく紙面右側の長孔２ｇ内の位置決めピン３ｅと接する紙面下側の側面２ｇｂに反力Ｆａ 2とＦｂ1が発生して位置を保つ。【００４０】
反対に、前記範囲３にＸ方向の紙面右側から外力−Ｆ3が加わった場合は、Ｙ方向に長手方向がくる長孔２ｅの前記側面２ｅｂと位置決めピン３ｅが接触する前記接触点Ｄを中心とする右回りの回転モーメント−Ｍ2が発生する。この回転モーメント−Ｍ2により、Ｘ方向に長手方向がくる紙面左側の長孔２ｆ内の位置決めピン３ｅと接する紙面下側の側面２ｆｂと、同じく紙面右側の長孔２ｇ内の位置決めピン３ｅと接する紙面上側の側面２ｇｂに反力Ｆａ1とＦｂ2が発生して位置を保つ。【００４１】
（Ｙ方向の位置決め）
Ｘ方向に長手方向がくる前記２つの長孔２ｆ，２ｇの中間部分にＹ方向の紙面下側に向く外力ＦYが加わった場合は、前記２つの長孔２ｆ，２ｇ内の位置決めピン３ｅと接する紙面上側の側面２ｆｂ，２ｇｂに反力Ｆａ 2とＦｂ2が発生して位置を保つ。反対に、Ｘ方向に長手方向がくる前記２つの長孔２ｆ，２ｇの中間部分にＹ方向の紙面上側に向く外力−ＦYが加わった場合は、前記２つの長孔２ｆ，２ｇ内の位置決めピン３ｅと接する紙面下側の側面２ｆｂ，２ｇｂに反力Ｆａ1とＦｂ1が発生して位置を保つ。【００４２】
（回転方向の位置決め）
例えば右回転の外力（回転モーメント）Ｍ1が加わった場合、前記反力Ｆａ1とＦｂ2とＹ方向に長手方向がくる長孔２ｅ内の位置決めピン３ｅと接する紙面右側の側面２ｅｂに発生する反力Ｆｃ2が発生して位置を保つ。反対に、左回転の外力（回転モーメント）−Ｍ1が加わった場合、前記反力Ｆａ2とＦｂ1とＹ方向に長手方向がくる長孔２ｅ内の位置決めピン３ｅと接する紙面左側の側面２ｅｂに発生する反力Ｆｃ1が発生して位置を保つ。【００４３】
（セルフセンタリング）
段落００３６〜００４２で説明した反力を位置決めピン３ｅで吸収するので、外力を取り除くと、位置決めピン３ｅの復元力でエアバッグモジュール３は初期の設定位置に戻る。【００４４】
そして、上記位置決め作用を奏する本発明のステアリングホイール１では、例えばＸ方向に長手方向がくる２つの長孔２ｆ，２ｇに挿通される２つの位置決めピン３ｅの間隔がＸ方向にばらついた場合は、以下のようにしてそのバラツキを吸収する。【００４５】
図８（ａ）に示すように、Ｙ方向に長手方向がくる長孔２ｅの側面２ｅｂとこの長孔２ｅに挿通された位置決めピン３ｅの接触点Ｄ又はＥを支点としてＸ方向の両側に拡がるので、前記２つの長孔２ｆ，２ｇの長円の長手方向の直線部分の範囲で前記バラツキを吸収する。【００４６】
また、Ｘ方向に長手方向がくる２つの長孔２ｆ，２ｇに挿通される２つの位置決めピン３ｅと、Ｙ方向に長手方向がくる長孔２ｅに挿通される位置決めピン３ｅの間隔がＹ方向にばらついた場合は、以下のようにしてそのバラツキを吸収する。【００４７】
図８（ｂ）に示すように、Ｘ方向に長手方向がくる２つの長孔２ｆ，２ｇの側面２ｆｂ，２ｇｂと位置決めピン３ｅの接触点Ｆ又はＧを支点としてＹ方向に拡がるので、前記Ｙ方向に長手方向がくる長孔２ｅの長円の長手方向の直線部分の範囲で前記バラツキを吸収する。【００４８】
上記のように、本発明のステアリングホイール１は、芯金部２ｂに形成する位置決め用長孔２ｅ〜２ｇ内を位置決めピン３ｅが移動するので、製造上の寸法誤差を吸収することができる。【００４９】
また、位置決め用長孔２ｅ〜２ｇと位置決めピン３ｅの位置関係によって自ずとエアバッグモジュール３の取り付け位置が決まるのと共に、外気温等により寸法変化があっても、エアバッグモジュール３とステアリングホイール本体２との間隙が均一化する。【００５０】
さらに、少なくとも１本の位置決めピン３ｅが何れかの位置決め用長孔２ｅ〜２ｇの長手方向と直交する方向の側面２ｅｂ〜２ｇｂに接しているので、この接しているピン３ｅによりエアバッグモジュール３は支えられている。よって、エアバッグモジュール３は、ステアリングホイール１に伝わる車両の振動を減衰するダイナミックダンパーと同様の効果を得ることが可能で、ステアリングホイール１の振動を減少することができる。【００５１】
本発明は上記の例に限らず、各請求項に記載された技術的思想の範疇であれば、適宜実施の形態を変更しても良いことは言うまでもない。【００５２】
すなわち以上で述べたステアリングホイールは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は、説明を目的としたもので、特に限定される主旨のない限り、それに限定されるものではない。【００５３】
例えば、発明例では、スプリング５を介して芯金部２ｂに取り付けたエアバッグモジュール３を、付勢力に抗して芯金部２ｂに接近させることで作動するホーンスイッチ装置について説明している。【００５４】
しかしながら、ホーンスイッチ装置は発明例に限らず、芯金部２ｂに直接固定的に取り付けたエアバッグモジュール３のエアバッグカバー３ｄを押し下げることで、固定接点に移動接点を接触させて作動するものでも良い。【００５５】
また、芯金部２ｂへのエアバッグモジュール３の設置も、上記例のようにエアバッグモジュール３に取り付けたＺタグ３ｃａを、芯金部２ｂに形成した第２のフック２ｄｂに引掛けるものに限らない。【００５６】
例えば、エアバッグカバー３ｄのみが押し下げられることにより作動するホーンスイッチ装置の場合の、芯金部２ｂへのエアバッグモジュール３の直接的な取り付けは、ねじで行っても良い。【００５７】
また、発明例では、ホーン操作時の動きを吸収する等の作用を位置決めピン３ｅに行わせているが、必ずしも位置決めピン３ｅに行わせなくても良い。さらに、発明例では３つの長孔２ｅ〜２ｇを設けているが、長手方向の方向が異なる少なくとも２つの長孔を設ければ良い。さらに、発明例では、位置決め用長孔として、長手方向に平行な直線部の両側を半円で繋いだ長円形状のものを示したが、ピンが長手方向の側壁と接触しつつ移動できるのであれば、楕円形状でも良い。【００５８】
さらに、発明例では、位置決め用長孔２ｅ〜２ｇに挿通する位置決めピン３ｅの数は２本であるが、例えば、Ｙ方向上側を１本、Ｙ方向下側を２本の計３本設けても良く、その本数は任意に設定可能である。【００５９】
さらに、３箇所に挿通する位置決めピン３ｅの強度は同様でも良いが、例えばＹ方向の下側に挿通する位置決めピン３ｅをＹ方向上側に挿通する２本の位置決めピン３ｅと比較して剛性を高く設定しても良く、その剛性は適宜設定可能である。【００６０】
さらに、発明例では、位置決め用長孔２ｅ〜２ｇに対応する夫々の位置決めピン３ｅの形状は同等であるが、例えばＹ方向上側のＸ方向幅ｄ2に対しＹ方向下側のＸ方向幅ｄ2を広く設定しても良く、その幅は任意に設定可能である。【００６１】
さらに、芯金部２ｂは、発明例のようにMg合金製でなくても、例えば合成樹脂性や、炭素繊維強化プラスチック（CFRP）、他の合金などを採用しても良く、材料は限定されない。【００６２】
さらに、発明例では、同一平面内に設けた長孔２ｅ〜２ｇの長手方向に延長した線が交わるものを示しているが、これに限るものではない。例えば長孔２ｅ〜２ｇが異なる高さ位置（図６の紙面前後方向位置）に設けられていても、同一平面上に投影した場合に前記長孔２ｅ〜２ｇの長手方向に延長した線が交われば良い。また、長孔２ｅ〜２ｇは夫々が角度の付いた平面上に設けられていても良い。
【符号の説明】
【００６３】
１    ステアリングホイール
２    ステアリングホイール本体
２ｂ    芯金部
２ｄａ    第１のフック
２ｅ，２ｆ，２ｇ    長孔
２ｅｂ，２ｆｂ，２ｇｂ    側壁
３    エアバッグモジュール
３ｃａ    Ｚタブ
３ｅ    位置決めピン
４    棒状スプリング
５    スプリング
Ａ    ピン挿入許容領域
【図１】
0005938046.tif 000002
【図２】
0005938046.tif 000003
【図３】
0005938046.tif 000004
【図４】
0005938046.tif 000005
【図５】
0005938046.tif 000006
【図６】
0005938046.tif 000007
【図７】
0005938046.tif 000008
【図８】
0005938046.tif 000009
【図９】
0005938046.tif 000010